(57)【要約】【課題】  現像手段を備えた複数の第１作像ユニットを第２作像ユニットに着脱自在に配置させた状態で、第２作像ユニットを装置本体内に着脱自在に装着させる際に、各第１作像ユニットが第２作像ユニットに適切に圧接されて装着される画像形成装置を提供する。【解決手段】  少なくとも現像手段11を備えた複数の第１作像ユニット10を、第２作像ユニット20に着脱自在に配置せた状態で、第２作像ユニットを装置本体30内に着脱自在に装着させる画像形成装置において、第１作像ユニットに識別手段13を設けると共に、第２作像ユニットを装置本体に装着させる際に、複数の第１作像ユニットをこの第２作像ユニットに圧接させる圧接手段40を設けた。【選択図】  図４
2007316518.tif 000002
【特許請求の範囲】
【請求項１】
少なくとも現像手段を備えた第１作像ユニットと、複数の第１作像ユニットが着脱自在に装着される第２作像ユニットとを備え、複数の第１作像ユニットを配置させた第２作像ユニットを装置本体内に着脱自在に装着させる画像形成装置において、上記の第１作像ユニットに識別手段を設けると共に、上記の第２作像ユニットを装置本体に装着させる際に、上記の複数の第１作像ユニットを第２作像ユニットに圧接させる圧接手段を設けたことを特徴とする画像形成装置。
【請求項２】
請求項１に記載の画像形成装置において、上記の圧接手段によって複数の第１作像ユニットを第２作像ユニットに圧接させる際に、上記の各第１作像ユニットに設けられた識別手段を認識する判別手段を設けたことを特徴とする画像形成装置。
【請求項３】
請求項１又は請求項２に記載の画像形成装置において、上記の第１作像ユニットにおける識別手段が、第１作像ユニットの種類に対応して異なっていることを特徴とする画像形成装置。
【請求項４】
請求項３に記載の画像形成装置において、上記の第１作像ユニットにおける識別手段としてリブを設けると共に、上記の圧接手段としてレバーを設け、このレバーに上記の判別手段として上記のリブに対応した凹部を設けたことを特徴とする画像形成装置。
【請求項５】
請求項３に記載の画像形成装置において、上記の第１作像ユニットにおける識別手段として識別用接点を設けると共に、上記の圧接手段としてレバーを設け、このレバーに上記の判別手段として上記の識別用接点に対応した接続部を設けたことを特徴とする画像形成装置。
【請求項６】
請求項３に記載の画像形成装置において、上記の第１作像ユニットにおける識別手段としてＩＣチップを設けると共に、上記の圧接手段としてレバーを設け、このレバーに上記の判別手段として上記のＩＣチップに対応した接続部を設けたことを特徴とする画像形成装置。
【発明の詳細な説明】
【技術分野】
【０００１】
この発明は、複写機やプリンター等の画像形成装置に係り、特に、少なくとも現像手段を備えた第１作像ユニットと、複数の第１作像ユニットが着脱自在に装着される第２作像ユニットとを備え、複数の第１作像ユニットが配置された第２作像ユニットを装置本体内に着脱自在に装着させるようにした画像形成装置において、上記の第２作像ユニットを画像形成装置の装置本体内に装着させる際に、この第２作像ユニットに上記の各第１作像ユニットが適切に圧接されて装着されるようにした特徴を有するものである。
【背景技術】
【０００２】
複写機やプリンター等の画像形成装置としては、従来から様々な種類のものが使用されており、この画像形成装置の装置本体内に、現像手段などを備えた作像ユニットを装着させ、この作像ユニットを適当な時期に交換させるようにしたものが用いられている。
【０００３】
そして、このように作像ユニットを適当な時期に交換させるにあたり、誤った作像ユニットが装着されるのを防止するため、上記の作像ユニットにメモリーを設け、装置本体においてこの作像ユニットに設けられたメモリーを検知して、適切な作像ユニットだけが装着されるようにしたものが提案されている（例えば、特許文献１参照。）。
【０００４】
また、従来においては、上記の作像ユニットとして、感光体などが設けられた感光体カートリッジに対して現像器を着脱自在に設け、この現像器を交換させる際に、圧力手段によりこの現像器を感光体カートリッジにおける感光体に対して適切な位置にセットさせるようにしたものも提案されている（例えば、特許文献２参照。）。
【０００５】
また、近年においては、フルカラーの画像形成を行う画像形成装置として、少なくとも現像手段を備えた複数の作像ユニットを用いたものが使用されるようになった。
【０００６】
そして、このようなフルカラーの画像形成装置において、上記の各作像ユニットを装置本体に装着させるにあたっては、各作像ユニットを個別に装置本体内に装着させるようにしたり、また各作像ユニットを感光体などが設けられた第２作像ユニットに圧接させてセットし、この状態で、各作像ユニットを第２作像ユニットと一緒に装置本体内に装着させるようにしていた。
【０００７】
しかし、上記のように各作像ユニットを個別に装置本体内に装着させる場合、装着作業が面倒になると共に、保護部材などが必要になってコストが高くつくという問題があった。
【０００８】
また、各作像ユニットを感光体などが設けられた第２作像ユニットに圧接させてセットした状態で、この第２作像ユニットを装置本体に装着させるようにした場合には、このようにセットされた状態で衝撃が加わることにより、これらの各作像ユニットに悪影響が生じるという問題があり、また各作像ユニットを感光体などが設けられた第２作像ユニットに圧接させた状態で維持させるため、タッチメモリーなどの接触による悪影響が生じるという問題もあった。
【特許文献１】特開２００２−１６９４２８号公報
【特許文献２】特許第３０７３１０２号公報
【発明の開示】
【発明が解決しようとする課題】
【０００９】
この発明は、複数の作像ユニットを用いた画像形成装置における上記のような問題を解決することを課題とするものである。
【００１０】
すなわち、この発明においては、少なくとも現像手段を備えた第１作像ユニットと、複数の第１作像ユニットが着脱自在に装着される第２作像ユニットとを備え、複数の第１作像ユニットが配置された第２作像ユニットを装置本体内に着脱自在に装着させるようにした画像形成装置において、第２作像ユニットを画像形成装置の装置本体内に装着させる際に、この第２作像ユニットに上記の各第１作像ユニットが適切に圧接されて装着されるようにすることを課題とするものである。
【課題を解決するための手段】
【００１１】
この発明においては、上記のような課題を解決するため、少なくとも現像手段を備えた第１作像ユニットと、複数の第１作像ユニットが着脱自在に装着される第２作像ユニットとを備え、複数の第１作像ユニットを配置させた第２作像ユニットを装置本体内に着脱自在に装着させる画像形成装置において、上記の第１作像ユニットに識別手段を設けると共に、上記の第２作像ユニットを装置本体に装着させる際に、上記の複数の第１作像ユニットを第２作像ユニットに圧接させる圧接手段を設けるようにした。
【００１２】
ここで、この発明の画像形成装置においては、上記の圧接手段によって複数の第１作像ユニットを第２作像ユニットに圧接させる際に、上記の各第１作像ユニットに設けられた識別手段を認識する判別手段を設けることができる。
【００１３】
また、この発明の画像形成装置においては、上記のように第１作像ユニットに識別手段を設けるにあたり、この識別手段を第１作像ユニットの種類に対応して異ならせることができる。
【００１４】
そして、上記の第１作像ユニットにおける識別手段としてリブを設ける場合においては、上記の圧接手段としてレバーを設け、このレバーに判別手段として上記のリブに対応した凹部を設けることができる。
【００１５】
また、上記の第１作像ユニットにおける識別手段として識別用接点を設ける場合においては、上記の圧接手段としてレバーを設け、このレバーに判別手段として上記の識別用接点に対応した接続部を設けることができる。
【００１６】
また、上記の第１作像ユニットにおける識別手段としてＩＣチップを設ける場合においては、上記の圧接手段としてレバーを設け、このレバーに判別手段として上記のＩＣチップに対応した接続部を設けることができる。
【発明の効果】
【００１７】
この発明における画像形成装置においては、少なくとも現像手段を備えた複数の第１作像ユニットを第２作像ユニットに配置させた状態で、この第２作像ユニットを装置本体内に着脱自在に装着させるにあたり、各第１作像ユニットに識別手段を設けると共に、第２作像ユニットを装置本体内に装着させる際に、圧接手段により上記の複数の第１作像ユニットを第２作像ユニットに圧接させるようにしたため、各作像ユニットを個別に装置本体内に装着させる場合に比べて、これらの作像ユニットの装着作業が簡単に行えるようになる。また、複数の第１作像ユニットを感光体などが設けられた第２作像ユニットに圧接させてセットした状態で、この第２作像ユニットを装置本体に装着させる場合のように、衝撃などによって悪影響が生じたり、タッチメモリーなどの接触による悪影響が生じたりするのも防止されるようになる。
【００１８】
また、この発明における画像形成装置において、上記のように圧接手段によって複数の第１作像ユニットを第２作像ユニットに圧接させる際に、各第１作像ユニットに設けられた識別手段を認識する判別手段を設けると、この判別手段によって第２作像ユニットに第１作像ユニットが適切に装着されているかを簡単に判別できるようになる。
【００１９】
また、第１作像ユニットに設ける識別手段を、例えば第１作像ユニットに収容させるトナーの色彩などに対応して異ならせると、第２作像ユニットに対してそれぞれ適切な色彩のトナーが収容された第１作像ユニットが装着されているかを簡単に判別できるようになる。
【発明を実施するための最良の形態】
【００２０】
以下、この発明の実施形態に係る画像形成装置を添付図面に基づいて具体的に説明する。なお、この発明に係る画像形成装置は、下記の実施形態に示したものに限定されず、その要旨を変更しない範囲において適宜変更して実施できるものである。
【００２１】
（実施形態１）
実施形態１における画像形成装置においては、図１に示すように、第１作像ユニット１０として、現像器１１にトナー収容部１２が設けられると共に適当な位置に識別用のリブ１３が設けられたものを用いる一方、また第２作像ユニット２０としては、カートリッジ２１に、４つの感光体２２と、各感光体２２の表面を帯電させる４つの帯電装置２３と、各感光体２２に形成されたトナー像が転写される中間転写ベルト２４と、この中間転写ベルト２４を回転駆動させるローラ２５と、転写後における各感光体２２の表面に残留するトナーを回収する４つのクリーニング装置２６とが設けられたものを用いている。
【００２２】
ここで、この実施形態に係る画像形成装置においては、上記の第２作像ユニット２０における各感光体２２と、第１作像ユニット１０における現像器１１に設けられた現像ローラ１４とが対向するようにして、４つの第１作像ユニット１０をこの第２作像ユニット２０に着脱自在に配置させるようにしている。なお、このように４つの第１作像ユニット１０をこの第２作像ユニット２０に配置させた状態では、各第１作像ユニット１０が第２作像ユニット２０に対して圧接された状態にはなっておらず、第２作像ユニット２０における各感光体２２に対して、各第１作像ユニット１０の現像器１１に設けられた各現像ローラ１４が所定の位置にセットされた状態にはなっていない。
【００２３】
そして、上記のように４つの第１作像ユニット１０を配置させた第２作像ユニット２０を装置本体３０の収容部３１に装着させ、第２作像ユニット２０に設けられた上記の中間転写ベルト２４が、１つのローラ２５の位置において、装置本体３０に設けられた転写ローラ３３と対向した位置にセットされるようにしている。
【００２４】
ここで、上記のように４つの第１作像ユニット１０を配置させた第２作像ユニット２０を装着させる装置本体３０の収容部３１においては、図２に示すように、上記の第２作像ユニット２０を挿入させる挿入口３２と反対側の位置に、回動するレバー４０の支点４１を設け、このレバー４０を上記の挿入口３２側に設けたバネ４２によって上方に回動させた位置で保持させるようにしている。
【００２５】
また、このレバー４０に、上記の各第１作像ユニット１０に設けられた識別用のリブ１３が嵌め合わされる４つの凹部４３を設けると共に、各第１作像ユニット１０を第２作像ユニット２０側に付勢する４つの付勢部材４４を設けている。
【００２６】
そして、上記のように４つの第１作像ユニット１０を配置させた第２作像ユニット２０を装置本体３０の収容部３１に装着させるにあたっては、図３に示すように、上記のレバー４０をバネ４２によって上方に回動させた位置で保持させた状態で、上記の４つの第１作像ユニット１０を配置させた第２作像ユニット２０を挿入口３２から収容部３１内に挿入させる。
【００２７】
ここで、この実施形態の画像形成装置においては、上記の第２作像ユニット２０におけるカートリッジ２１の挿入側とは反対側の端部に、上記のレバー４０を押し下げて係止させる係止部２１ａを設けている。
【００２８】
そして、上記のように第２作像ユニット２０を挿入口３２から収容部３１内に挿入させると、この係止部２１ａにより上記のレバー４０の挿入口３２側の端部が押し下げられて、このレバー４０が下方に回動し、図４に示すように、このレバー４０が第２作像ユニット２０のカートリッジ２１に設けられた係止部２１ａに係止されるようになる。
【００２９】
ここで、上記のようにレバー４０が第２作像ユニット２０に設けられた係止部２１ａに係止された状態では、同図に示すように、上記の各第１作像ユニット１０に設けられた識別用のリブ１３が、レバー４０に設けられた各凹部４３に嵌め合わされると共に、このレバー４０に設けられた各付勢部材４４により、各第１作像ユニット１０が第２作像ユニット２０側に付勢されて圧接され、第２作像ユニット２０における各感光体２２と各第１作像ユニット１０の現像器１１に設けられた現像ローラ１４とが所定の位置にセットされた状態になり、適切な画像形成が行えるようになる。
【００３０】
ここで、上記の第１作像ユニット１０に設ける識別用のリブ１３の形状などを、例えば、図５に示すように、他の画像形成装置に用いる第１作像ユニット１０ａに設ける識別用のリブ１３ａと異ならせておくと、上記のように第１作像ユニット１０に設けられた識別用のリブ１３をレバー４０に設けられた凹部４３に嵌め合わせる場合に、この凹部４３に他の第１作像ユニット１０ａに設けられた識別用のリブ１３ａがうまく嵌め合わされず、これにより他の画像形成装置に用いる第１作像ユニット１０ａが装着されるのが防止されるようになる。
【００３１】
そして、上記のように４つの第１作像ユニット１０を配置させた第２作像ユニット２０を装置本体３０の収容部３１に装着させた状態で画像形成を続けて行った結果、トナーなどが消費されて上記の第１作像ユニット１０や第２作像ユニット２０を交換する場合には、上記の場合とは逆にして、装置本体３０の収容部３１に収容させた第２作像ユニット２０を挿入口３２から引き出すようにする。
【００３２】
ここで、この実施形態の画像形成装置においては、上記の各第１作像ユニット１０に設ける識別用のリブ１３の形状及び各識別用のリブ１３が嵌め合わされるレバー４０に設けられた各凹部４３の形状を同じようにしているが、例えば、図６に示すように、第１作像ユニット１０に収容させるトナーの色彩に対応させて、各第１作像ユニット１０に設ける識別用のリブ１３の先端形状を異ならせると共に、レバー４０に設ける各凹部４３の形状を各第１作像ユニット１０に設ける識別用のリブ１３の先端形状に対応させて異ならせることも可能である。
【００３３】
このようにすると、上記のように４つの第１作像ユニット１０を第２作像ユニット２０に配置させて装置本体３０の収容部３１に装着させるにあたり、第２作像ユニット２０に対して色彩の異なるトナーが収容された各第１作像ユニット１０が適切に配置されている状態では、図６に示すように、各第１作像ユニット１０に設けられた識別用のリブ１３がレバー４０に設けられた各凹部４３に適切に嵌め合わされて装着されるようになるが、これらの第１作像ユニット１０が誤って配置されている場合には、誤って配置された第１作像ユニット１０における識別用のリブ１３がレバー４０に設けられた凹部４３にうまく嵌め合わされなくなり、これにより色彩の異なるトナーが収容された第１作像ユニット１０が誤って装着されるのを防止できるようになる。
【００３４】
また、図７に示すように、各第１作像ユニット１０にそれぞれ収容されているトナーの色彩などの情報を記憶させたＩＣチップ１５を設ける一方、上記のレバー４０に上記のＩＣチップ１５と接続される接続部４５を設け、上記のように第２作像ユニット２０を挿入口３２から収容部３１内に挿入させ、レバー４０を第２作像ユニット２０に設けられた係止部２１ａに係止させて、各第１作像ユニット１０をレバー４０に設けられた各付勢部材４４により第２作像ユニット２０側に付勢されて圧接された状態で、各第１作像ユニット１０に設けられたＩＣチップ１５が、レバー４０に設けられた接続部４５に接続されるようにすることもできる。
【００３５】
そして、このように各第１作像ユニット１０に設けられたＩＣチップ１５を、レバー４０に設けられた接続部４５に接続させた状態で、各第１作像ユニット１０に設けられたＩＣチップ１５に記憶されている情報を上記の接続部４５を通して装置本体３０に設けられたＣＰＵ（図示せず）で読み取り、各第１作像ユニット１０が適切にセットされているかを確認し、また各第１作像ユニット１０に対応した画像形成条件を読み取ったり、画像形成後におけるトナー残量の更新を行ったりすることもできる。
【００３６】
また、この実施形態の画像形成装置においては、上記のようにレバー４０により４つの第１作像ユニット１０を第２作像ユニット２０に圧接させて装着させるにあたり、第２作像ユニット２０を挿入させる収容部３１の挿入口３２と反対側の位置に回動するレバー４０の支点４１を設けるようにしたが、図８に示すように、上記のレバー４０を収容部３１の上部側に設けられた一対の回動アーム４６に取り付けてリンク機構を構成し、この一対の回動アーム４６により上記のレバー４０を揺動させるようにすることもできる。そして、前記のように第２作像ユニット２０を挿入口３２から収容部３１内に挿入させた状態で、このレバー４０を第２作像ユニット２０のカートリッジ２１に設けられた上記の係止部２１ａに係止させると、このレバー４０により前記のように４つの第１作像ユニット１０を第２作像ユニット２０に圧接させて装着されるようになる。
【００３７】
また、図９に示すように、上記のレバー４０の支点４１を、収容部３１に挿入させる第２作像ユニット２０の挿入側の位置に設けて、上記のレバー４０を第２作像ユニット２０に回動可能に取り付けるようにし、この支点４１と反対側におけるレバー４０の端部に上方に突出した突出部４７を設けると共に、この第２作像ユニット２０を挿入させる収容部３１の挿入口３２の上部側に下方に突出した凸部３４を設けることもできる。そして、前記のようにこの第２作像ユニット２０を挿入口３２から収容部３１内に挿入させた状態では、レバー４０に設けられた上記の突出部４７が、装置本体３０の挿入口３２の上部側に設けられた上記の凸部３４に押されてレバー４０が押し下げられ、このレバー４０により前記のように４つの第１作像ユニット１０が第２作像ユニット２０に圧接されて装着されるようになる。
【００３８】
また、上記の実施形態の画像形成装置においては、４つの第１作像ユニット１０を配置させた第２作像ユニット２０を装置本体３０の収容部３１に装着させるにあたり、４つの第１作像ユニット１０の配列方向に沿って第２作像ユニット２０を装置本体３０の収容部３１に導くようにしたが、図１０（Ａ），（Ｂ）に示すように、４つの第１作像ユニット１０を配置させた第２作像ユニット２０を４つの第１作像ユニット１０の配列方向と直交する方向に移動させ、各第１作像ユニット１０に設けられた識別用のリブ１３をそれぞれレバー４０に設けられた各凹部４３に嵌め合わせると共に、第２作像ユニット２０に設けられた係止部材２７をレバー４０に設けられた係合部４７ａに係止させて、４つの第１作像ユニット１０を配置させた第２作像ユニット２０を装置本体３０の収容部３１に装着させるようにすることも可能である。
【００３９】
（実施形態２）
実施形態２における画像形成装置においては、図１１に示すように、第１作像ユニット１０として、現像器１１にトナー収容部１２が設けられると共に適当な位置に識別用のリブ１３が設けられたものを用いる一方、第２作像ユニット２０としては、カートリッジ２１に、１つの感光体２２と、この感光体２２の表面を帯電させる帯電装置２３と、感光体２２に形成されたトナー像が転写される中間転写ベルト２４と、この中間転写ベルト２４を回転駆動させるローラ２５と、転写後における感光体２２の表面に残留するトナーを回収するクリーニング装置２６ａと、中間転写ベルト２４の表面に残留するトナーを回収するクリーニング装置２６ｂとが設けられたものを用いるようにしている。
【００４０】
ここで、この実施形態に係る画像形成装置においては、上記の第２作像ユニット２０における感光体２２と、第１作像ユニット１０における現像器１１に設けられた現像ローラ１４とが対向するようにして、４つの第１作像ユニット１０をこの第２作像ユニット２０に着脱自在に配置させるようにしている。なお、このように４つの第１作像ユニット１０をこの第２作像ユニット２０に配置させた状態では、各第１作像ユニット１０が第２作像ユニット２０に対して圧接された状態になっておらず、第２作像ユニット２０における感光体２２に対して、各第１作像ユニット１０の現像器１１に設けられた各現像ローラ１４が所定の位置にセットされた状態にはなっていない。
【００４１】
そして、上記のように４つの第１作像ユニット１０を配置させた第２作像ユニット２０を装置本体３０の収容部３１に装着させ、第２作像ユニット２０に設けられた上記の中間転写ベルト２４が、１つのローラ２５の位置において、装置本体３０に設けられた転写ローラ３３と対向した位置にセットされるようにしている。
【００４２】
ここで、上記のように４つの第１作像ユニット１０を配置させた第２作像ユニット２０を装着させる装置本体３０の収容部３１においては、その上部側に支点４１によりレバー４０を回動可能に取り付け、このレバー４０に上記の各第１作像ユニット１０に設けられた識別用のリブ１３が嵌め合わされる４つの凹部４３を設けると共に、各第１作像ユニット１０を第２作像ユニット２０側に付勢する４つの付勢部材４４を設けている。また、この装置本体３０の収容部３１においては、上記の第２作像ユニット２０を挿入させる挿入口３２の下部側に第２レバー５０の支点５１を設け、第２レバー５０を回動可能に取り付けると共に、この第２レバー５０に押圧部５２を突出させ、この押圧部５２により上記のレバー４０を第２作像ユニット２０に配置された４つの第１作像ユニット１０に押圧させるようにしている。
【００４３】
そして、この実施形態における画像形成装置においては、上記のように４つの第１作像ユニット１０を配置させた第２作像ユニット２０を装置本体３０の収容部３１内に挿入させ、この状態で、上記のレバー４０を回動させて、このレバー４０に設けられた各凹部４３に、上記の各第１作像ユニット１０に設けられた識別用のリブ１３を嵌め合わせた後、上記の第２レバー５０を回動させ、この第２レバー５０に設けられた押圧部５２により、上記のレバー４０を第２作像ユニット２０に配置された４つの第１作像ユニット１０に押し付けるようにしている。
【００４４】
このようにすると、各第１作像ユニット１０がレバー４０に設けられた各付勢部材４４により第２作像ユニット２０側に付勢されて圧接され、第２作像ユニット２０における感光体２２と各第１作像ユニット１０に設けられた現像ローラ１４とが所定の位置にセットされた状態になって、適切な画像形成が行えるようになる。
【００４５】
（実施形態３）
実施形態３における画像形成装置においては、図１２に示すように、第１作像ユニット１０として、インクを収容させた現像用カートリッジ１６の適当な位置に識別用の凹所１７が設けられたものを用いる一方、また第２作像ユニット２０としては、カートリッジ２１に上記の第１作像ユニット１０を装着させる装着部２８が４つ形成されると共に、上記の装着部２８と反対側にプリントヘッド２９が設けられたものを用いている。
【００４６】
そして、この実施形態に係る画像形成装置においては、上記の第２作像ユニット２０における各装着部２８に上記の各第１作像ユニット１０を収容させた状態で、この第２作像ユニット２０における上記のプリントヘッド２９が、装置本体３０に設けられた走査部３０ａの収容部３１ａから突出するようにして、この第２作像ユニット２０を走査部３０ａの収容部３１ａに収容させるようにしている。
【００４７】
ここで、この実施形態に係る画像形成装置においては、上記の装置本体３０における走査部３０ａの収容部３１ａにおいて、その上部側に支点４１によりレバー４０を回動可能に取り付け、このレバー４０に上記の各第１作像ユニット１０に設けられた識別用の凹所１７に嵌め合わせる４つの凸部４８を設けると共に、このレバー４０の支点４１と反対側の端部に、このレバー４０を上記の第２作像ユニット２０に係止させる係止爪４９を設けている。
【００４８】
そして、この実施形態に係る画像形成装置においては、上記のように第２作像ユニット２０を走査部３０ａの収容部３１ａに収容させた状態で、上記のレバー４０を回動させて、このレバー４０に設けられた各凸部４８を上記の各第１作像ユニット１０に設けられた識別用の凹所１７に嵌め合わせると共に、このレバー４０に設けられた上記の係止爪４９を第２作像ユニット２０に係止させ、レバー４０に設けられた各付勢部材４４により各第１作像ユニット１０を第２作像ユニット２０側に付勢させて圧接させるようにしている。
【００４９】
そして、この状態で、上記の走査部３０ａを駆動ギア３５により案内レール３６に沿って往復移動させて、画像形成を行うようになっている。
【図面の簡単な説明】
【００５０】
【図１】本発明の実施形態１に係る画像形成装置において、４つの第１作像ユニットを第２作像ユニットに配置させた状態を示した概略説明図である。
【図２】同実施形態に係る画像形成装置において、装置本体における収容部の状態を示した概略説明図である。
【図３】同実施形態に係る画像形成装置において、４つの第１作像ユニットが配置された第２作像ユニットを、装置本体の収容部に導く状態を示した概略説明図である。
【図４】同実施形態に係る画像形成装置において、４つの第１作像ユニットをレバーにより第２作像ユニットに圧接させて、装置本体の収容部に装着させた状態を示した概略説明図である。
【図５】同実施形態に係る画像形成装置において、異なった種類の第１作像ユニットが装置本体の収容部に誤って装着されるのを防止する状態を示した概略説明図である。
【図６】同実施形態に係る画像形成装置において、異なった色彩のトナーが収容された各第１作像ユニットが、装置本体の収容部に適切に装着される状態を示した概略説明図である。
【図７】同実施形態に係る画像形成装置において、異なった色彩のトナーが収容された各第１作像ユニットが装置本体の収容部に適切に装着されるようにする変更例を示した概略説明図である。
【図８】同実施形態に係る画像形成装置において、４つの第１作像ユニットを第２作像ユニットに圧接させて装置本体の収容部に装着させるレバーの変更例を示した概略説明図である。
【図９】同実施形態に係る画像形成装置において、４つの第１作像ユニットを第２作像ユニットに圧接させて装置本体の収容部に装着させるレバーの第２の変更例を示した概略説明図である。
【図１０】同実施形態に係る画像形成装置において、４つの第１作像ユニットを配置させた第２作像ユニットを装置本体の収容部に挿入させる方向を変更させた変更例の概略説明図である。
【図１１】本発明の実施形態２に係る画像形成装置において、４つの第１作像ユニットをレバーにより第２作像ユニットに圧接させて、装置本体の収容部に装着させた状態を示した概略説明図である。
【図１２】本発明の実施形態３に係る画像形成装置において、４つの第１作像ユニットをレバーにより第２作像ユニットに圧接させて、装置本体における走査部の収容部に装着させた状態を示した概略説明図である。
【符号の説明】
【００５１】
１０  第１作像ユニット
１０ａ  他の第１作像ユニット
１１  現像器
１２  トナー収容部
１３  リブ
１３ａ  他の第１作像ユニットのリブ
１４  現像ローラ
１５  ＩＣチップ
１６  現像用カートリッジ
１７  凹所
２０  第２作像ユニット
２１  カートリッジ
２１ａ  係止部
２２  感光体
２３  帯電装置
２４  中間転写ベルト
２５  ローラ
２６，２６ａ，２６ｂ  クリーニング装置
２７  係止部材
２８  装着部
２９  プリントヘッド
３０  装置本体
３０ａ  走査部
３１，３１ａ  収容部
３２  挿入口
３３  転写ローラ
３４  凸部
３５  駆動ギア
３６  案内レール
４０  レバー
４１  支点
４２  バネ
４３  凹部
４４  付勢部材
４５  接続部
４６  回動アーム
４７  突出部
４７ａ係合部
４８  凸部
４９  係止爪
５０  第２レバー
５１  支点
５２  押圧部
【図１】
2007316518.tif 000003
【図２】
2007316518.tif 000004
【図３】
2007316518.tif 000005
【図４】
2007316518.tif 000006
【図５】
2007316518.tif 000007
【図６】
2007316518.tif 000008
【図７】
2007316518.tif 000009
【図８】
2007316518.tif 000010
【図９】
2007316518.tif 000011
【図１０】
2007316518.tif 000012
【図１１】
2007316518.tif 000013
【図１２】
2007316518.tif 000014